(57)【要約】【課題】背骨まわりの窪みも補正できる和装用補正着を提供する。【解決手段】補正着本体１の左右の前身頃２・２の内側の肩下付近に、肩下パッド６・６を出し入れ自在に収容できる肩下パッド用の第１袋７・７が設けられている。左右の前身頃２・２の内側の胸下付近には、胸下パッド１１・１１を出し入れ自在に収容できる胸下パッド用の第２袋１２・１２が設けられている。補正着本体１の後身頃３の左右方向中央部位には、上下縦長の背中パッド１５を挿入自在に収容できる左右小幅の背中パッド用の第３袋１６が、ほぼ上下間にわたって設けられている。【選択図】図１
0003108734.tif 000002
【実用新案登録請求の範囲】
【請求項１】
補正着本体（１）の左右の前身頃（２）・（２）の内側の肩下付近に、肩下パッド（６）・（６）を出し入れ自在に収容できる肩下パッド用の第１袋（７）・（７）が設けられており、
左右の前身頃（２）・（２）の内側の胸下付近には、胸下パッド（１１）・（１１）を出し入れ自在に収容できる胸下パッド用の第２袋（１２）・（１２）が設けられており、
補正着本体（１）の後身頃（３）の左右方向中央部位に、上下縦長の背中パッド（１５）を挿入自在に収容できる左右小幅の背中パッド用の第３袋（１６）が、ほぼ上下間にわたって設けられていることを特徴とする和装用補正着。
【請求項２】
補正着本体（１）と、第１、第２、第３の袋（７）、（１２）、（１６）をつくるために補正着本体（１）の裏側に縫着される袋布（１０）、（１４）、（１８）とは、繊維径が大小に異なる複層構造の編織生地からなる請求項１記載の和装用補正着。
【請求項３】
各第１袋（７）の下端には、下広がり形状の肩下パッド（６）の差し込みを許して肩下パッド（６）の下方への抜け止めを規制する差込口が開口しており、
各第２袋（１２）の上端には、左右横長の胸下パッド（１１）の差し込みを許して胸下パッド（１１）の上方への抜け止めを規制する差込口が開口しており、
第３袋（１６）の上下の少なくとも一端側が、背中パッド（１５）の差込口として開口している請求項１または２記載の和装用補正着。
【請求項４】
第３袋（１６）の外側に位置する後身頃（３）の外面の下端に、面ファスナーの雌部材（２０ａ）が上下縦長の帯状に縫着されており、
内面側の左右方向中央部位の上端に面ファスナーの雄部材（２０ｂ）が縫着された腰当パッド（１９）を備えており、
後身頃（３）に腰当パッド（１９）が、後身頃（３）から垂れ下がるように面ファスナーの雌雄部材（２０ａ）・（２０ｂ）を介して着脱自在である請求項３記載の和装用補正着。
【考案の詳細な説明】
【技術分野】
【０００１】
本考案は、きもの着用時に体型を補正するための和装用補正着に関する。
【背景技術】
【０００２】
きもの着用時に、体のラインを美しく見せるために、肩下、胸下および腰まわりなどに補正パッドを介在させることは公知である。
【０００３】
例えば、これらの体型補正をひとまとめに行えるようにした和装用ブラジャーは、特許文献１に公知である。
【特許文献１】登録実用新案第３０２３７１３号
【考案の開示】
【考案が解決しようとする課題】
【０００４】
但し、痩せた人は背骨が出がちであり、太った人は背骨部が凹みがちである。しかし、特許文献１記載の考案を含め、背骨まわりの凹凸を補正する和装用補正着は、存在しない。
【０００５】
本考案の目的は、肩下および胸下、必要に応じて腰の窪みを、とくに背骨まわりも、これ１枚で補正可能な和装用補正着を提供することにある。
【課題を解決するための手段】
【０００６】
請求項１記載の本考案に係る和装用補正着は、補正着本体１の左右の前身頃２・２の内側の肩下付近に、肩下パッド６・６を出し入れ自在に収容できる肩下パッド用の第１袋７・７が設けられており、左右の前身頃２・２の内側の胸下付近には、胸下パッド１１・１１を出し入れ自在に収容できる胸下パッド用の第２袋１２・１２が設けられている。補正着本体１の後身頃３の左右方向中央部位には、上下縦長の背中パッド１５を挿入自在に収容できる左右小幅の背中パッド用の第３袋１６が、ほぼ上下間にわたって設けられていることを特徴とする。
【０００７】
請求項２記載の本考案は、請求項１記載の和装用補正着において、補正着本体１と、第１、第２、第３の袋７、１２、１６をつくるために補正着本体１の裏側に縫着される袋布１０、１４、１８とが、繊維径が大小に異なる複層構造の編織生地からなる。
【０００８】
請求項３記載の本考案は、請求項１または２記載の和装用補正着において、各第１袋７の下端に、下広がり形状の肩下パッド６の差し込みを許して肩下パッド６の下方への抜け止めを規制する差込口が開口しており、各第２袋１２の上端に、左右横長の胸下パッド１１の差し込みを許して胸下パッド１１の上方への抜け止めを規制する差込口が開口しており、第３袋１６の上下の少なくとも一端側が、背中パッド１５の差込口として開口している。
【０００９】
請求項４載の本考案は、請求項３記載の和装用補正着において、第３袋１６の外側に位置する後身頃３の外面の下端に、面ファスナーの雌部材２０ａが上下縦長の帯状に縫着されており、内面側の左右方向中央部位の上端に面ファスナーの雄部材２０ｂが縫着された腰当パッド１９を備えており、後身頃３に腰当パッド１９が後身頃３から垂れ下がるように面ファスナーの雌雄部材２０ａ・２０ｂを介して着脱自在になっている。
【考案の効果】
【００１０】
請求項１記載の本考案に係る和装用補正着によると、これ１枚だけあれば、肩下や胸下の凹みのみならず、背中の窪みをも着用者の体型に応じて任意に補正することができる。とくに、第３袋１６に背中パッド１５を挿入することにより、背骨まわりを的確に補正可能である。
【００１１】
請求項２記載の本考案によれば、吸汗性と速乾性とに優れた和装用補正着が得られる。
【００１２】
請求項３記載の本考案によれば、各前身頃２の第１袋７に、これの下端の差込口から肩下パッド６を幅狭の上端部より容易に差し込み装着でき、この装着状態で肩下パッド６が不用意に抜け外れない。各前身頃２の第２袋１２にこれの上端の差込口から胸下パッド１１を容易に落とし込み装着でき、そのうえで胸下パッド１１が不用意に抜け外れない。背中側の第３袋１６は左右小幅の上下縦長に形成されているので、これの上下の少なくとも一端側に設けた差込口から背中パッド１５を差し込んでおけば、背中パッド１５が第３袋１６から不用意に上下方向へ抜け外れることがない。したがって、不使用時には各袋７、１２、１６にパッド６、１１、１５を装着した状態のまま、次の使用に備えるに有利である。
【００１３】
請求項４記載の本考案によれば、必要に応じて背中側のでん部上方の凹みを腰当パッド１９で補正できる。この腰当パッド１９は、補正着本体１に対して、面ファスナーで簡単に着脱できる。
【実施例】
【００１４】
図面は、本考案に係る和装用補正着の実施例を示す。これの補正着本体１は、図２および図３に示すごとく、袖なしで左右の前身頃２・２と、後身頃３とからなる。補正着本体１の上端左右には肩掛け部分４・４を有し、左右の前身頃２・２には紐５・５が付けられており、各前身頃２と後身頃３との境界に設けた紐通し５ａに各紐５を通して結ぶことにより、前身頃２・２を召し合わせ状態に着用できる。
【００１５】
補正着本体１は、繊維径が大小に異なるポリエステル繊維を複層構造に編織した生地からなり、内側の太い毛細管状空間から細かい毛細管状空間に汗を吸収移動させたのち外側に放出するよう、吸汗性と速乾性に優れたものになっている。左右の前身頃２・２の外側には、意匠性を付与するために、例えば花柄模様のレース生地が必要に応じて施される。
【００１６】
図１において各前身頃２の内側の肩下付近には、それぞれ肩下パッド６を出し入れ自在に収容できる第１袋７が設けられている。第１袋７は、補正着本体１の裏側に袋布１０を縫着して形成されており、下端が差込口として開口している。各肩下パッド６は、正面視で三味線のばちに似た下広がり形状に形成されており、第１袋７も肩下パッド６に合致する形状になっている。肩下パッド６はこれの上端側から第１袋７の差込口に差し込み装着する。第１袋７の差込口の左右幅寸法は、肩下パッド６の下端側の左右幅寸法よりも小さく設定されており、第１袋７に肩下パッド６を完全に差し込み装着した状態において、第１袋７から肩下パッド６が下方へは不用意に抜け外れるのを規制している。
【００１７】
各前身頃２の内側の胸下付近には、それぞれ胸下パッド１１を出し入れ自在に収容できる第２袋１２を有する。第２袋１２は、補正着本体１の裏側に袋布１４を縫着して形成されており、上端が差込口として開口している。各胸下パッド１１は、縦１７cm、横３５cmほどの左右横長に成形してあり、第２袋１２も胸下パッド１１に合致する形状および寸法になっている。胸下パッド１１は、差込口から第２袋１２に差し込み装着可能である。第２袋１２の差込口の左右幅寸法は、胸下パッド１１の左右幅寸法よりも小さく設定されているので、第２袋１２に胸下パッド１１を完全に差し込み装着した状態において、胸下パッド１１が不用意に抜け外れることはない。
【００１８】
補正着本体１の後身頃３の左右方向中央部位の内側には、背中パッド１５を挿入自在に収容できる第３袋１６が設けられている。ここでの第３袋１６は、図１および図４に示すごとく後身頃３の内側に袋布１８を縫着して形成されており、上下端が背中パッド１５の差込口として開口している。背中パッド１５は、縦３０cm、横6.５cm程度の左右小幅の縦長に成形してあり、第３袋１６も背中パッド１５に合致する形状および寸法になっている。
【００１９】
第３袋１６にこれの上下の差込口の一方から背中パッド１５を差し込み装着すると、背中パッド１５は適度な弾性を有して上下縦長に形成されているので、背中パッド１５が第３袋１６から位置ズレしたり、不用意に抜け外れたりすることはない。
【００２０】
肩下パッド６、胸下パッド１１および背中パッド１５は、着用者の体型に合わせて、１枚毎の厚みは例えば２mm程度に薄く形成してある。したがって、これらのパッドは数枚ずつ用意しておくことにより、ひとつの袋に複数のパッドを装着できる。
【００２１】
本案の和装用補正着は、更にでん部の上方のくぼみを埋めて体型補正するために、補正着本体１に対して着脱自在に装着できる腰当パッド１９を備えている。そのために、第３袋１６の外側に位置する後身頃３の外面の下端には、上下縦長の帯状に形成された面ファスナーの雌部材２０ａが縫着されている。他方、腰当パッド１９の内面側の左右方向中央部位の上端には、面ファスナーの雄部材２０ｂが縫着されている。これにより、後身頃３に腰当パッド１９が後身頃３から垂れ下がるように面ファスナーの雌雄部材２０ａ・２０ｂを介して上下位置を調節しながら着脱することができる。
【００２２】
なお、各パッドの落脱をより確実に防止するために、第１袋７、第２袋１２、第３袋１６のパッド差込口（開口）は、面ファスナーの類で開閉自在に閉じられるようにすることができる。請求項１記載の本考案においては、背中パッド１５用の第３袋１６を後身頃３の外側に形成してあってもよい。
【図面の簡単な説明】
【００２３】
【図１】要部の正面図
【図２】正面図
【図３】背面図
【図４】図１のＡ−Ａ線断面図
【符号の説明】
【００２４】
１  補正着本体
２  前身頃
３  後身頃
６  肩下パッド
７  第１袋
１０  第１袋の袋布
１１  胸下パッド
１２  第２袋
１４  第２袋の袋布
１５  背中パッド
１６  第３袋
１８  第３袋の袋布
１９  腰当パッド
２０ａ  面ファスナーの雌部材
２０ｂ  面ファスナーの雄部材
【図１】
0003108734.tif 000003
【図２】
0003108734.tif 000004
【図３】
0003108734.tif 000005
【図４】
0003108734.tif 000006